(57)【要約】【課題】分割ケースの組付状態に於いてパッキンの入れ忘れを容易に確認できる筐体の防水構造を提供する。【解決手段】この筐体１の防水構造は、その接合面３ａ上に溝部３ｂが設けられた第１の分割ケース３と、第１の分割ケース３の溝部３ｂ内に配置されたパッキン７と、その接合面５ａがパッキン７を介して第１の分割ケース３の接合面３ａに接合された第２の分割ケース５とを備えた筐体の防水構造であって、パッキン７は、第１の分割ケース３の溝部３ｂ内に配置されるパッキン本体７ａの側面から突出形成されて第１及び第２の分割ケース３，５間から外部に露出される露出部７ｂを有する。【選択図】図３
2005195138.tif 000002
【特許請求の範囲】
【請求項１】
その接合面上に溝部が設けられた第１の分割ケースと、前記第１の分割ケースの前記溝部内に配置されたパッキンと、その接合面が前記パッキンを介して前記第１の分割ケースの前記接合面に接合された第２の分割ケースとを備えた筐体の防水構造であって、
前記パッキンは、前記第１の分割ケースの前記溝部内に配置されるパッキン本体の側面から突出形成されて前記第１及び第２の分割ケースの接合面間から外部に露出する露出部を有することを特徴とする筐体の防水構造。
【請求項２】
前記パッキンの前記露出部は、前記パッキン本体の側面の全周に亘って形成されて、前記第１及び第２の分割ケースの接合面間の全周から露出されることを特徴とする請求項１に記載の筐体の防水構造。
【請求項３】
前記パッキンの前記露出部は、前記パッキン本体の側面の一部のみに形成されて、前記第１及び第２の分割ケースの接合面間の全周のうちの一部のみから露出されることを特徴とする請求項１に記載の筐体の防水構造。
【請求項４】
前記パッキンの前記露出部は、前記パッキン本体の外側面に於ける分割ケースの接合方向の中央部分から突出する様に形成されることを特徴とする請求項１〜請求項３の何れかに記載の筐体の防水構造。
【請求項５】
前記第１の分割ケースの前記接合面上に於ける前記溝部の外周側領域のうちの少なくとも前記パッキンの前記露出部の配置される部分が、前記接合面上に於ける前記溝部の内周側領域よりも前記露出部の厚さ程度低く形成されることを特徴とする請求項１〜請求項４の何れかに記載の筐体の防水構造。
【発明の詳細な説明】
【技術分野】
【０００１】
本発明は、分割ケースの接合面間にパッキンが介装される筐体の防水構造に関する。
【背景技術】
【０００２】
この種の従来の筐体１００の防水構造は、図６の様に、その接合面１０３ａ上に溝部１０３ｂが設けられた第１の分割ケース１０３と、第１の分割ケース１０３の溝部１０３ｂ内に配置されたパッキン１０７と、その接合面１０５ａがパッキン１０７を介して第１の分割ケース１０３の接合面１０３ａに接合された第２の分割ケース１０５とから構成されており、分割ケース１０３，１０５の組付状態では、パッキン１０７は、第１の分割ケースケース１０３の溝部１０３ｂ内に押し込められており外部からは見えない（特許文献１）。
【０００３】
【特許文献１】特開２００３−９８５９１号公報
【発明の開示】
【発明が解決しようとする課題】
【０００４】
従来の筐体１００の防水構造では、分割ケース１０３，１０５の組付状態では、パッキン１０７は、外部から見えない為、パッキン１０７の入れ忘れを確認するにあたり、特別な検査を行う必要があり、確認作業に手間が掛かるという欠点があった。
【０００５】
そこで、この発明の課題は、分割ケースの組付状態に於いてパッキンの入れ忘れを容易に確認できる筐体の防水構造を提供することにある。
【課題を解決するための手段】
【０００６】
上記課題を解決する為には、請求項１に記載の発明は、その接合面上に溝部が設けられた第１の分割ケースと、前記第１の分割ケースの前記溝部内に配置されたパッキンと、その接合面が前記パッキンを介して前記第１の分割ケースの前記接合面に接合された第２の分割ケースとを備えた筐体の防水構造であって、前記パッキンは、前記第１の分割ケースの前記溝部内に配置されるパッキン本体の側面から突出形成されて前記第１及び第２の分割ケースの接合面間から外部に露出する露出部を有するものである。
【０００７】
請求項２に記載の発明は、前記パッキンの前記露出部は、前記パッキン本体の側面の全周に亘って形成されて、前記第１及び第２の分割ケースの接合面間の全周から露出されるものである。
【０００８】
請求項３に記載の発明は、前記パッキンの前記露出部は、前記パッキン本体の側面の一部のみに形成されて、前記第１及び第２の分割ケースの接合面間の全周のうちの一部のみから露出されるものである。
【０００９】
請求項４に記載の発明は、前記パッキンの前記露出部は、前記パッキン本体の外側面に於ける分割ケースの接合方向の中央部分から突出する様に形成されるものである。
【００１０】
請求項５に記載の発明は、前記第１の分割ケースの前記接合面上に於ける前記溝部の外周側領域のうちの少なくとも前記パッキンの前記露出部の配置される部分が、前記接合面上に於ける前記溝部の内周側領域よりも前記露出部の厚さ程度低く形成されるものである。
【発明の効果】
【００１１】
請求項１に記載の発明によれば、パッキンは、第１及び第２の分割ケースの接合面間から外部に露出する露出部を有する為、その露出部の有無を外部から確認する事により、分割ケースの組付状態に於いてパッキンの入れ忘れを容易に確認できる。
【００１２】
請求項２に記載の発明によれば、パッキンの露出部は、パッキン本体の側面の全周に亘って形成されて第１及び第２の分割ケースの接合面間の全周から露出される為、筐体の外周側面のうちのどの方向からでも露出部の有無を確認できて確認作業をより一層容易に行える。
【００１３】
請求項３に記載の発明によれば、パッキンの露出部は、パッキン本体の側面の一部のみに形成されて第１及び第２の分割ケースの接合面間の全周のうちの一部のみから露出される為（即ち露出部の突出面積が小さくなる為）、パッキンと第１及び第２の分割ケースとの接触面積の増加を抑制でき、これによりパッキンに掛かる圧力の低下を抑制できて分割ケースの接合面間の密封性を十分に確保できる。
【００１４】
請求項４に記載の発明によれば、パッキンの露出部は、パッキン本体の外側面に於ける分割ケースの接合方向の中央部分から突出する様に（即ち、パッキン本体に於ける第２の分割ケースとの対向部（上層部）及び第１の分割ケースとの対向部（下層部）がパッキンの露出部から突出される様に）形成される為、１）その突出された上層部及び下層部により局所的（集中的）に分割ケースからの押圧力を受ける事ができ、これによりパッキン本体により分割ケースの接合面間の密封性を十分に確保でき、２）その突出された下層部により第１の分割ケースの溝部内に嵌る事ができ、これによりパッキンを第１の分割ケースの溝部内に適切に配置できる。
【００１５】
請求項５に記載の発明によれば、第１の分割ケースの接合面上に於ける溝部の外周側領域のうちの少なくともパッキンの露出部の配置される部分が、前記接合面上に於ける前記溝部の内周側領域よりも前記露出部の厚さ程度低く形成される為、分割ケースからの押圧力がパッキンの露出部に掛かる事（即ち分散する事）を防止でき、これによりパッキンに掛かる圧力の低下を抑制できて分割ケースの接合面間の密封性をより十分に確保できる。
【発明を実施するための最良の形態】
【００１６】
＜実施の形態＞
この実施の形態に係る筐体１は、例えば自車両周辺（例えば左右両側）を撮像する車載用撮像装置を収納するケースとして構成され、図１及び図２の様に、分割構成された一組の第１及び第２の分割ケース３，５と、各分割ケース３，５の接合面間に介装されるパッキン７と、各分割ケース３，５を互いに締結する締結ネジ９とを備える。
【００１７】
第１の分割ケース３は、図１及び図３の様に、例えば直方体状の前面開放の箱状に形成され、その開放前面の周縁面３ａが前記接合面を成している。この分割ケース３の接合面３ａ上には、その接合面３ａに沿ってパッキン７を位置決めする為の溝部３ｂが凹設される。又、この分割ケース３の接合面３ａの角部（コーナ部）には、第２の分割ケース５の角部の外側面に嵌合する内側面を有する位置決め突起３ｃが凸設される。又、この分割ケース３の接合面３ａの角部の内側には、前面側から後面側まで貫通するネジ９用の挿通孔３ｄが穿設される。
【００１８】
パッキン７は、図１及び図３の様に、ゴム等の弾性部材により環状に形成されており、より詳細には、例えば四角形状の環状で横断面が円形に形成されたパッキン本体７ａと、パッキン本体７ａの外側面から外方に適宜長さに突出形成された露出部７ｂとを有して形成される。尚、露出部７ｂは、後述の様に、筐体１の防水構造に関係しない様に形成されている。
【００１９】
露出部７ｂは、例えばパッキン本体７ａの外側面に於ける分割ケース３，５の接合方向（押潰方向）の中央部分から突出する様に（即ち、パッキン本体７ａの上層部（即ち第２の分割ケース５との対向部）７ｕ及び下層部（即ち第１の分割ケース３との対向部）７ｄが露出部７ｂから突出される様に）形成される。又、露出部７ｂは、パッキン本体７ａの外側面の全周に亘って環状に形成される。又、パッキン本体７ａの四隅には、締結ネジ９が挿通する挿通部７ｃが設けられている。
【００２０】
このパッキン７は、図３の様に、そのパッキン本体７ａ（より詳細にはパッキン本体７ａの下層部７ｄ）が第１の分割ケース３の溝部３ｂ内に配置される様にして第１の分割ケース３上に配置される。そして、その配置状態では、図１を参照して、パッキン７の露出部７ｂは、第１の分割ケース３の接合面３ａ上に於ける溝部３ｂの外周側領域３ａ−１上に配置され、又、パッキン７の挿通部７ｃは、第１の分割ケース３の挿通孔３ｄ上に連通配置される。
【００２１】
第２の分割ケース５は、図１の様に、例えば前半部が台形柱状で後半部が立方体状の多面体状の後面開放の箱状に形成され、その開放後面の周縁面５ａが前記接合面を成している。この分割ケース５の接合面５ａの角部には、締結ネジ９が螺挿されるネジ孔５ｂが穿設される。
【００２２】
尚、第２の分割ケース５は、例えば、透明性部材により形成され、その前半部の例えば左右側面に車両周辺の景色を取り込む為の透光窓部５Ｌ，５Ｒを設けるべく、その透光窓部５Ｌ，５Ｒを残して透光窓部５Ｌ，５Ｒ以外の部分に遮光性部材（図示省略）が被覆配設されて仕上げられる。
【００２３】
この第２の分割ケース５は、図１及び図２の様に、その接合面５ａがパッキン７を介して第１の分割ケース３の接合面３ａに突き合われる様にして、第１の分割ケース３の位置決め突起３ｃの内側に嵌合配置された状態で、第１の分割ケース３に組み付けられる。この組付状態では、第２の分割ケース５は、接合面方向に位置決め固定され、その接合面５ａ上のネジ孔５ｂが第１の分割ケース３の接合面３ａ上の挿通孔３ｄ上に連通配置される。
【００２４】
そして、この状態で、締結ネジ９が第１の分割ケース３の後面側から第１の分割ケース３の挿通孔３ｄ及びパッキン７の挿通部７ｃを通じて第２の分割ケース５のネジ孔５ｂに螺挿される事により、第１及び第２の分割ケース３，５が互いに締結される。
【００２５】
この締結状態では、図２及び図４の様に、パッキン本体７ａがその上層部７ｕ及び下層部７ｄにより局所的に分割ケース３，５からの押圧力を受けて押潰され、これにより分割ケース３，５の接合面３ａ，５ａ間が当該パッキン本体７ａにより強力に密封されると共に、パッキン７の露出部７ｂの先端部７ｅが分割ケース３，５の接合面３ａ，５ａ間から該接合面３ａ，５ａ間の全周に亘って外部に露出され、これにより第１及び第２の分割ケース３，５間にパッキン７が介装されている事が外部に表示される。
【００２６】
以上の様に構成された筐体１の防水構造によれば、パッキン７は、第１及び第２の分割ケース３，５間から外部に露出する露出部７ｂを有する為、その露出部７ｂの有無を外部から確認する事により、分割ケース３，５の組付状態（最終製品状態や製造工程の途中段階）に於いてパッキン７の入れ忘れを容易に確認できる。
【００２７】
又、パッキン７の露出部７ｂは、パッキン本体７ａの側面の全周に亘って形成されて第１及び第２の分割ケース３，５の接合面３ａ，５ａ間の全周から露出される為、筐体１の外周側面のうちのどの方向からでも露出部７ｂの有無を確認できて確認作業をより一層容易に行える。
【００２８】
又、パッキン７の露出部７ｂは、パッキン本体７ａの外側面に於ける分割ケース３，５の接合方向（押潰方向）の中央部分から突出する様に（即ち、パッキン本体７ａの上層部７ｕ及び下層部７ｄが露出部７ｂから突出される様に）形成される為、１）その突出された上層部７ｕ及び下層部７ｄにより局所的（集中的）に分割ケース３，５からの押圧力を受ける事ができ、これによりパッキン本体７ａにより分割ケース３，５の接合面３ａ，５ａ間の密封性を十分に確保でき、２）その突出された下層部７ｄにより第１の分割ケース３の溝部３ｂ内に嵌る事ができ、これによりパッキン７を第１の分割ケース３の溝部３ｂ内に適切に配置できる。
【００２９】
＜変形例１＞
上記の実施の形態では、パッキン７の露出部７ｂがパッキン本体７ａの側面の全周に亘って形成されて分割ケース３，５の接合面３ａ，５ａ間の全周から露出される場合で説明したが、パッキン７の露出部７ｂをパッキン本体７ａの側面の全周のうちの一部のみに形成して分割ケース３，５の接合面３ａ，５ａ間の全周のうちの一部のみから露出される様にしてもよい。
【００３０】
この様にすれば、パッキン７の露出部７ｂの表面積（突出面積）が小さくなる為、パッキン７と第１及び第２の分割ケース３，５との接触面積の増加を抑制でき、これによりパッキン７に掛かる圧力の低下を抑制できて分割ケース３，５の接合面３ａ，５ａ間の密封性をより一層十分に確保できる。
【００３１】
＜変形例２＞
上記の実施の形態又は変形例１に於いて、図５の様に、更に第１の分割ケース３の接合面３ａに於ける溝部３ｂの外周側領域３ａ−１のうちの少なくともパッキン７の露出部７ｂの配置される部分（即ち上記の実施の形態の場合（即ちパッキン７の露出部７ｂが第１の分割ケース３の接合面３ａの外周側領域３ａ−１上の全域に亘って配置される場合）は外周側領域３ａ−１の全域、又、上記の変形例１の場合（即ちパッキン７の露出部７ｂが第１の分割ケース３の接合面３ａの外周側領域３ａ−１上の一部領域のみに配置される場合は外周側領域３ａ−１の全域又は当該一部領域）３ａ−３を、第１の分割ケース３の接合面３ａに於ける溝部３ｂの内周側領域３ａ−２よりもパッキン７の露出部７ｂの厚さｄ程度低く段違いに形成して、その段違いに低く形成した部分３ａ−３上にパッキン７の露出部７ｂを配置させる様にしてもよい。
【００３２】
この様にすれば、分割ケース３，５からの押圧力がパッキン７の露出部７ｂに掛かる事（即ち分散する事）を防止でき、これによりパッキン７に掛かる圧力の低下を抑制できて第１及び第２の分割ケース３，５の接合面３ａ，５ａ間の密封性をより一層十分に確保できる。
【図面の簡単な説明】
【００３３】
【図１】本発明の実施の形態に係る筐体の分解斜視図である。
【図２】本発明の実施の形態に係る筐体の組付斜視図である。
【図３】図１のIII−III断面図の接合部分の拡大図である。
【図４】図２のIV−IV断面図の部分接合部分の拡大図である。
【図５】変形例２に係る筐体の組付状態の接合部分の断面図である。
【図６】従来の筐体の組付状態の断面図である。
【符号の説明】
【００３４】
１  筐体
３  第１の分割ケース
３ａ  周縁面（接合面）
３ａ−１  外周側領域
３ａ−２  内周側領域
３ａ−３  パッキンの露出部の配置される部分
３ｂ  溝部
５  第２の分割ケース
５ａ  周縁面（接合面）
７  パッキン
７ａ  パッキン本体
７ｂ  露出部
７ｕ  上層部
７ｄ  下層部
７ｅ  先端部
【図１】
2005195138.tif 000003
【図２】
2005195138.tif 000004
【図３】
2005195138.tif 000005
【図４】
2005195138.tif 000006
【図５】
2005195138.tif 000007
【図６】
2005195138.tif 000008